(57)【要約】      （修正有）【課題】携帯可能な衛生化システムの紫外線ランプに電力を供給するためのシステム及び方法を提供する。【解決手段】電力供給デバイスが、衛生化システムの紫外線（UV）ランプに電力を供給するように構成される。該電力供給デバイスは、UVランプに電力を供給するように構成された１以上のバッテリ、及び１以上のバッテリに結合された電力コントローラを含む。該電力コントローラは、１以上のバッテリからUVランプに供給される電力の１以上の特性を制御するように構成される。【選択図】なし【特許請求の範囲】
【請求項１】
衛生化システム（１００）の紫外線（UV）ランプに電力を供給するように構成された電力供給デバイス（５０２）であって、
前記UVランプ（１４０）に電力を供給するように構成された１以上のバッテリ、及び
前記１以上のバッテリに結合された電力コントローラ（５０８）であって、前記１以上のバッテリから前記UVランプ（１４０）に供給される前記電力の１以上の特性を制御するように構成された電力コントローラ（５０８）を備える、電力供給デバイス（５０２）。
【請求項２】
前記UVランプ（１４０）は、棒アセンブリ（１０２）の衛生化先端部（１０６）内にある、請求項１に記載の電力供給デバイス（５０２）。
【請求項３】
前記電力供給デバイス（５０２）は、棒アセンブリ（１０２）に結合されたバックパックアセンブリ（１０４）内にある、請求項１又は２に記載の電力供給デバイス（５０２）。
【請求項４】
前記UVランプ（１４０）は、２２２nmの波長を有するUV光を発するように構成されたエキシマーランプである、請求項１から３のいずれか一項に記載の電力供給デバイス（５０２）。
【請求項５】
前記電力コントローラ（５０８）に結合された１以上のポテンショメータを更に備える、請求項１から４のいずれか一項に記載の電力供給デバイス（５０２）。
【請求項６】
前記１以上のポテンショメータは、前記UVランプ（１４０）に供給される前記電力に関する周波数、パルス幅変調、及び電流を調整し又さもなければ制御するように構成される、請求項５に記載の電力供給デバイス（５０２）。
【請求項７】
１以上のスイッチ（５１２、５１４、５１６）を更に備える、請求項１から６のいずれか一項に記載の電力供給デバイス（５０２）。
【請求項８】
前記１以上のスイッチ（５１２、５１４、５１６）は、前記電力供給デバイス（５０２）のハウジング（５０４）上又はハウジング（５０４）内にある、請求項７に記載の電力供給デバイス（５０２）。
【請求項９】
前記１以上のスイッチ（５１２、５１４、５１６）は、棒アセンブリ（１０２）上又は棒アセンブリ（１０２）内にある、請求項７又は８に記載の電力供給デバイス（５０２）。
【請求項１０】
前記１以上のスイッチ（５１２、５１４、５１６）は、
電力スイッチ（５１２）、
電力ブーストスイッチ（５１４）、及び
ランプ電力スイッチ（５１６）を備える、請求項７から９のいずれか一項に記載の電力供給デバイス（５０２）。
【発明の詳細な説明】
【技術分野】
【０００１】
関連出願の相互参照
本出願は、参照することによってその全体が本明細書に組み込まれる、２０２０年６月１１日に出願された「衛生化システムの紫外線ランプに電力を供給するためのシステム及び方法」という名称の米国仮特許出願第63/037,634号に関し、それからの優先権の利益を主張する。
【０００２】
本開示は、広くは、輸送体内の構造物及びエリアを衛生的にするためなどに使用され得る衛生化システム（sanitizing system）に関し、特に、衛生化システムの紫外線ランプに電力を供給するシステム及び方法に関する。
【背景技術】
【０００３】
民間航空機などの輸送体は、様々な場所の間で旅客を輸送するために使用される。例えば、紫外線（UV）光を使用する、航空機内の表面を殺菌又はさもなければ衛生的にするためのシステム（衛生化システム）が、現在開発中である。
【０００４】
構造物の表面を衛生化するために、知られているUV光殺菌方法は、構造物上に広域スペクトルUVC光を発する。しかし、UVC光は、典型的には、様々な微生物を殺すためにかなり長い時間量（例えば、３分）を必要とする。更に、様々な微生物は、UVC光に脆弱ではないかもしれない。すなわち、そのような微生物は、UVC光への曝露に耐え得る
【０００５】
また、特定の種類の微生物は、UVC光に対する抵抗性を発達させ得る。例えば、UVC光は、最初は、ある時間にわたりUVC光に継続的に曝露することによって、特定の種類の微生物を殺すことができるが、その個別種の微生物は、UVC光に対する抵抗性を発達させ、UVC光への曝露に耐え得る可能性がある。
【０００６】
更に、特定の種類のUV光を直接的に曝露することは、人間にとって危険であり得る。例えば、特定の知られているUVシステムは、２５４nmの波長を有するUV光を発し、それは、人間にとって危険であり得る。したがって、特定の知られているUV光殺菌システム及び方法は、個々人が存在していないときに動作される。例えば、化粧室内のUV光殺菌システムは、化粧室内に個々人が存在してないときに動作されてよく、個人が化粧室内に存在しているときに起動解除される。
【０００７】
更に、知られているUV光衛生化システムは、典型的には、大きく、嵩張り、固定された静止しているインフラを必要とすることが多い。
【発明の概要】
【０００８】
携帯可能な衛生化システムの紫外線ランプに電力を供給するためのシステム及び方法が必要とされている。
【０００９】
それらの必要性に鑑みると、本開示の特定の実施形態は、衛生化システムの紫外線（UV）ランプに電力を供給するように構成された電力供給デバイスを提供する。該電力供給デバイスは、UVランプに電力を供給するように構成された１以上のバッテリ、及び１以上のバッテリに結合された電力コントローラを含む。該電力コントローラは、１以上のバッテリからUVランプに供給される電力の１以上の特性（aspect）を制御するように構成される。
【００１０】
UVランプは、棒アセンブリの衛生化先端部内にあり得る。
【００１１】
電力供給デバイスは、棒アセンブリに結合されたバックパックアセンブリ内にあり得る。
【００１２】
UVランプは、２２２nmの波長を有するUV光を発するように構成されたエキシマーランプ（excimer lamp）であってよい。
【００１３】
少なくとも１つの実施形態では、電力供給デバイスが、電力コントローラに結合された１以上のポテンショメータを更に含む。例えば、１以上のポテンショメータは、UVランプに供給される電力に関する周波数、パルス幅変調、及び電流を調整し又はさもなければ制御するように構成される。
【００１４】
少なくとも１つの実施形態では、電力供給デバイスが、１以上のスイッチを更に含む。１以上のスイッチは、電力供給デバイスのハウジング上又はハウジング内にあり得る。任意選択的に、１以上のスイッチは、棒アセンブリ上又は棒アセンブリ内にあり得る。一実施例として、スイッチは、電力スイッチ、電力ブーストスイッチ、及びランプ電力スイッチを含む。
【００１５】
少なくとも１つの実施形態では、電力供給デバイスが、１以上のバッテリをUVランプに接続する連結器（coupler）を更に含む。連結器は、絶縁されたワイヤを含み得る。連結器は、UVランプに着脱可能に接続するように構成され得る。
【００１６】
少なくとも１つの実施形態では、電力供給デバイスが、１以上のバッテリとUVランプとの間に配置された変圧器（transformer）を更に含む。
【００１７】
本開示の特定の実施形態は、衛生化システムの紫外線（UV）ランプに電力を供給する方法を提供する。該方法は、電力供給デバイスの１以上のバッテリによって、UVランプに電力を供給すること、及び、１以上のバッテリに結合された電力コントローラから、１以上のバッテリからUVランプに供給される電力の１以上の特性を制御することを含む。
【００１８】
少なくとも１つの実施形態では、該方法が、１以上のポテンショメータを電力コントローラに結合することを更に含む。更なる一実施例として、該方法は、１以上のポテンショメータによって、UVランプに供給される電力に関する周波数、パルス幅変調、及び電流を調整し又はさもなければ制御することを含む。
【図面の簡単な説明】
【００１９】
【図１】本開示の一実施形態による、個人によって身に着けられた携帯可能な衛生化システムの斜視図を示す。
【図２】本開示の一実施形態による、棒アセンブリの斜視側方上面図を示す。
【図３】図２の棒アセンブリの斜視後面図を示す。
【図４】図２の棒アセンブリの斜視側面図を示す。
【図５】本開示の一実施形態による、コンパクト展開位置にある携帯可能な衛生化システムの斜視図を示す。
【図６】本開示の一実施形態による、延伸位置にある衛生化先端部を有する携帯可能な衛生化システムの斜視図を示す。
【図７】本開示の一実施形態による、延伸位置にある衛生化先端部及び延伸位置にあるハンドルを有する携帯可能な衛生化システムの斜視図を示す。
【図８】本開示の一実施形態による、ハンドルに対して回転した衛生化先端部を有する携帯可能な衛生化システムの斜視図を示す。
【図９】本開示の一実施形態による、衛生化先端部のUVランプ及び反射体（reflector）の斜視端面図を示す。
【図１０】本開示の一実施形態による、衛生化先端部のUVランプ及び反射体の斜視端面図を示す。
【図１１】本開示の一実施形態による、衛生化先端部のUVランプ及び反射体の斜視端面図を示す。
【図１２】衛生化先端部の斜視上面図を示す。
【図１３】衛生化先端部の斜視下面図を示す。
【図１４】図１２の線１４‐１４に沿った衛生化先端部の軸方向断面図を示す。
【図１５】本開示の一実施形態による、取り付けブラケットに固定されたUVランプの斜視端面図を示す。
【図１６】本開示の一実施形態による、バックパックアセンブリの分解斜視図を示す。
【図１７】本開示の一実施形態による、バックパックアセンブリに結合されたハーネスの斜視前面図を示す。
【図１８】図１８は、紫外線光スペクトルを示す。
【図１９】本開示の一実施形態による、航空機の斜視前面図を示す。
【図２０Ａ】本開示の一実施形態による、航空機の内部キャビンの上面図を示す。
【図２０Ｂ】本発明の一実施形態による、航空機の内部キャビンの上面図を示す。
【図２１】本開示の一実施形態による、航空機の内部キャビンの斜視内装図を示す。
【図２２】航空機の内部キャビン内の化粧室の斜視内部図を示す。
【図２３】本開示の一実施形態による、携帯可能な衛生化方法のフローチャートを示す。
【図２４】本開示の一実施形態による、棒アセンブリの紫外線ランプに電力を供給するためのシステムの概略ブロック図を示す。
【図２５】本開示の一実施形態による、棒アセンブリの紫外線ランプに電力を供給するためのシステムの概略図を示す。
【図２６】本開示の一実施形態による、衛生化システムの紫外線ランプに電力を供給する方法のフローチャートを示す。
【発明を実施するための形態】
【００２０】
上記概要、及び特定の実施形態の以下の詳細な説明は、添付の図面と併せて読むことにより、より深く理解されるだろう。本明細書で使用される「一（a）」又は「１つの（an）」に続く単数形の要素又はステップは、複数の当該要素又はステップを必ずしも除外しないと理解されたい。更に、「一実施形態」への言及は、本明細書に記載の特徴を組み込む追加の実施形態の存在を除外すると解釈すべきでない。更に、そうではないと明示的に述べられていない限り、特定の条件を有する１以上の要素を「含む」又は「有する」実施形態は、その条件を有しない追加の要素を含み得る。
【００２１】
本開示の特定の実施形態は、２２２nmの波長などの遠UV光スペクトル内のUV光を発する紫外線（UV）ランプ（エキシマーランプなど）を含む、衛生化システム及び方法を提供する。それは、人間に対する危険性なしに、微生物（例えば、ウイルス及びバクテリア）を無力化する（殺すなど）。UVランプを内部キャビン内で使用して、汚染を除去し、病原体を殺すことができる。本開示の実施形態は、特定の知られているUVシステムと比較して、より安全且つより効果的な衛生を提供する。UVランプは、携帯可能な衛生化システム又は固定された衛生化システム内で使用され得る。例えば、２２２nmの波長を有する衛生化UV光を発するUVランプを動作させることが、携帯可能なシステム又は固定されたシステムと共に使用され得る。
【００２２】
本開示の特定の実施形態は、エキシマーランプなどのUVランプに電力を供給するシステム及び方法を提供する。少なくとも１つの実施形態では、UVランプが、携帯可能な衛生化システムのエキシマーランプである。
【００２３】
少なくとも１つの実施形態では、該システム及び方法が、２２０nm〜２３０nmの間の波長を有するUV光を発するように構成されたエキシマーランプなどの、エキシマーランプに電力を供給するためのバッテリと共に使用されるように構成された携帯可能な電力供給デバイスを含む。例えば、エキシマーランプは、２２２nmの波長を有するUV光を発するように構成される。
【００２４】
携帯可能な電力供給デバイスは、１以上のバッテリを含むバッテリ電源を含む。携帯可能な電力供給デバイスはまた、周波数、パルス幅変調、及び／又は電流を調整するように構成された１以上のポテンショメータを含む電力コントローラも含む。携帯可能な電力供給デバイスはまた、押しボタン電力スイッチ、及び携帯可能な電力供給デバイスをUVランプに接続する絶縁されたワイヤも含む。UVランプは、棒アセンブリ内にあり得る。
【００２５】
少なくとも１つの実施形態では、携帯可能な電力供給デバイスが、オン／オフスイッチ、電力ブーストスイッチ、及びUVランプ電力スイッチを制御するための任意選択的なスイッチを更に含む。該システムのための調整は、公称出力／効率を制御すること、パルス幅周波数及びランプ効率を調整すること、並びに過電流を調整することを含む。
【００２６】
少なくとも１つの実施形態では、該システム及び方法が、高電圧を必要とする２２２nmのUVランプに電力を供給するように構成される。UVランプ用の電力コントローラは、１以上のポテンショメータを調整することによって、最小の又は低減された電力量で最大の又はさもなければ高められたUV光を提供するように構成可能である。
【００２７】
図１は、本開示の一実施形態による、個人１０１によって身に着けられた携帯可能な衛生化システム１００の斜視図を示している。携帯可能な衛生化システム１００は、ハーネス１０５を介して個人に着脱可能に固定されたバックパックアセンブリ１０４に結合された棒アセンブリ１０２を含む。棒アセンブリ１０２は、ハンドル１０８に結合された衛生化先端部１０６を含む。少なくとも１つの実施形態では、衛生化先端部１０６が、カプラ１１０を介してハンドル１０８と移動可能に結合される。
【００２８】
図１で示されているように、棒アセンブリ１０２は、収容位置にある。収容位置では、棒アセンブリ１０２が、１以上のトラック、クリップ、ラッチ、ベルト、タイなどを介して、バックパックアセンブリ１０４の一部分に着脱可能に固定される。
【００２９】
図２は、本開示の一実施形態による、棒アセンブリ１０２の斜視側方上面図を示している。衛生化先端部１０６が、カプラ１１０を介してハンドル１０８に結合される。衛生化先端部１０６は、近位端１１６から遠位端１１８に延在する外側カバー１１４を有するシュラウド１１２を含む。本明細書で説明されるように、シュラウド１１２はUVランプを内蔵する。
【００３０】
ポート１２０が、近位端１１６から延在する。ポート１２０は、ホース１２２に結合され、それが今度は、バックパックアセンブリ１０４（図１で示されている）に結合される。ホース１２２は、バックパックアセンブリ１０４（図１で示されている）内の電源又は電力供給（１以上のバッテリなど）を、シュラウド１１２内のUVランプ１４０に結合する、電気コード、ケーブル、配線などを内蔵する。任意選択的に、電気コード、ケーブル、配線などは、ホース１２２の外側にあってもよい。ホース１２２はまた、空気チューブなどの空気供給ラインも内蔵する。それは、シュラウド１１２の内部チャンバを、バックパックアセンブリ１０４内の空気ブロワ、真空生成器、エアフィルタなどに流体結合する。
【００３１】
カプラ１１０は、近位端１１６の近傍などで、シュラウド１１２の外側カバー１１４に固定される。カプラ１１０は、１以上のファスナや接着剤などを介して外側カバー１１４に固定された固定ビーム１２４を含み得る。延在ビーム１２６が、固定ビーム１２４から外向きに延在し、それによって、ハンドル１０８をシュラウド１１２から引き離す。ベアリングアセンブリ１２８が、固定ビーム１２４とは反対側の延在ビーム１２６から延在する。ベアリングアセンブリ１２８は、１以上のベアリングやトラックなどを含む。それらは、ハンドル１０８が、矢印Ａの方向においてカプラ１１０に対して直線的に平行移動すること、及び／又は円弧Ｂの方向において枢動軸の周りで枢動することを可能にする。任意選択的に、ハンドル１０８がベアリングアセンブリ１２８に結合されている（例えば、ハンドル１０８はカプラ１１０に固定され得る）ことに加え、又はその代わりに、固定ビーム１２４は、衛生化先端部１０６が、矢印Ａの方向において平行移動すること、及び／又は円弧Ｂの方向において回転する（例えば、旋回する）ことを可能にするベアリングアセンブリを含み得る。
【００３２】
少なくとも１つの実施形態では、ハンドル１０８が、ロッド、ポール、ビームなど１３０を含む。それは、シュラウド１１２よりも長くてよい。任意選択的に、ロッド１３０は、シュラウド１１２よりも短くてよい。１以上のグリップ１３２が、ロッド１３０に固定される。グリップ１３２は、個人によって把持され保持されるように構成される。グリップ１３２は、人間工学的な触知性の特徴（tactile feature）１３４を含み得る。
【００３３】
任意選択的に、棒アセンブリ１０２は、図示されているのとは異なるようにサイズ決定されてよく、形作られてよい。例えば、少なくとも１つの実施形態では、ハンドル１０８が、シュラウド１１２に対して固定されてもよい。更に、ハンドル１０８は、それ自体及び／又はシュラウド１１２に対して移動するように構成されてよく又は構成されなくてもよい。例えば、ハンドル１０８とシュラウド１１２とは、単一のユニットとして一体的に成形されてよく、形成されてよい。
【００３４】
少なくとも１つの実施形態では、棒アセンブリ１０２が、バックパックアセンブリに結合されない。例えば、棒アセンブリ１０２は、１以上のバッテリなどの電源を有するスタンドアロン式ユニットである。別の一実施例として、棒アセンブリ１０２は、ケースアセンブリに結合される。
【００３５】
図３は、図２の棒アセンブリ１０２の斜視後面図を示している。図４は、図２の棒アセンブリ１０２の斜視側面図を示している。図３及び図４を参照すると、ハンドル１０８が、ハンドル１０８をカプラ１１０に枢動可能に結合する枢動軸１３８を有するベアリング１３６を介して、カプラ１１０に枢動可能に結合され得る。ハンドル１０８は、ベアリング１３６の中に及び外に直線的に平行移動するように更に構成され得る。例えば、ハンドル１０８は、内に及び外に伸縮するように構成され得る。任意選択的に又は代替的に、少なくとも１つの実施形態では、ハンドル１０８が、ハンドル１０８が外向きに延伸し及び内向きに後退することを可能にする、伸縮式本体を含み得る。
【００３６】
図５は、本開示の一実施形態による、コンパクト展開位置にある携帯可能な衛生化システム１００の斜視図を示している。図５で示されているように、棒アセンブリ１０２は、バックパックアセンブリ１０４（図１で示されているような）から取り外され、コンパクト展開位置にある。ホース１２２が、棒アセンブリ１０２をバックパックアセンブリ１０４に接続する。コンパクト展開位置では、衛生化先端部１０６が、ハンドル１０８に対して完全に後退している。
【００３７】
図６は、本開示の一実施形態による、延伸位置にある衛生化先端部１０６を有する携帯可能な衛生化システム１００の斜視図を示している。ハンドル１０８に対して衛生化先端部１０６を延伸させるために、衛生化先端部１０６は、矢印Ａ’の方向においてハンドル１０８に対して外向きに摺動される（又はハンドル１０８が衛生化先端部１０６に対して後ろ向きに摺動される）。上述されたように、衛生化先端部１０６は、カプラ１１０を介してハンドル１０８に対して矢印Ａ’の方向において直線的に平行移動することができる。図６で示されているように、衛生化先端部１０６の外向きの延伸は、携帯可能な衛生化システム１００が、離れたエリアに容易に到達することを可能にする。代替的に、衛生化先端部１０６は、ハンドル１０８に対して直線的に平行移動しなくてもよい。
【００３８】
図７は、本開示の一実施形態による、延伸位置にある衛生化先端部１０６及び延伸位置にあるハンドルを１０８有する携帯可能な衛生化システム１００の斜視図を示している。更に遠くへ到達するために、ハンドル１０８は、伸縮部分を介するなどして直線的に平行移動し、衛生化先端部１０６が更に外向きに伸びることを可能にするように構成され得る。代替的に、ハンドル１０８は、延伸及び後退するように構成されなくてもよい。
【００３９】
少なくとも１つの実施形態では、ハンドル１０８が、ロック１０９を含んでよい。ロック１０９は、ハンドル１０８を所望の延伸（又は後退）位置で固定するように選択的に操作されるように構成される。
【００４０】
図８は、本開示の一実施形態による、ハンドル１０８に対して回転した衛生化先端部１０６を有する携帯可能な衛生化システム１００の斜視図を示している。上述したように、衛生化先端部１０６は、カプラ１１０を介してハンドル１０８に対して回転するように構成される。ハンドル１０８に対して衛生化先端部１０６を回転させることによって、衛生化先端部１０６が、所望の位置に移動され、衛生化先端部１０６がハンドル１０８に移動不可能に固定されていた場合に、普通であれば到達することが困難であり得るエリアにスイープ又はさもなければ到達することが可能になる。代替的に、衛生化先端部１０６は、ハンドル１０８に対して回転可能でなくてもよい。
【００４１】
図９は、本開示の一実施形態による、衛生化先端部１０６のUVランプ１４０及び反射体１４２の斜視端面図を示している。UVランプ１４０及び反射体１４２は、衛生化先端部１０６のシュラウド１１２（例えば、図２で示されている）内に固定される。少なくとも１つの実施形態では、反射体１４２が、１以上の接着剤を介するなどして、シュラウド１１２の下側１４１に固定される。別の一実施例として、反射体１４２は、シュラウド１１２の一体化された部分である。例えば、反射体１４２は、シュラウド１１２の下側１４１であってよく、又はさもなければシュラウド１１２の下側１４１を提供し得る。反射体１４２は、反射面１４３（テフロンや鏡面などから形成される）を提供する。反射面１４３は、UVランプ１４０によって発されたUV光を外向きに反射するように構成される。少なくとも１つの実施例では、シュラウド１１２が、ガラス繊維から形成されたシェルであってよく又はそれを含んでよく、反射体１４２は、９８％の反射率を提供するテフロンから形成されてよい。
【００４２】
反射体１４２は、シュラウド１１２の下側１４１の全長に沿って延在し得る。任意選択的に、反射体１４２は、シュラウド１１２の下側１４１の全長未満に沿って延在し得る。
【００４３】
UVランプ１４０は、全長に沿って（又は端部１１６と１１８との間などの全長に実質的に沿って）延在し得る。例えば、UVランプ１４０は、１以上のブラケットを介して、反射体１４２及び／又はシュラウド１１２に固定される。UVランプ１４０は、１以上のバルブや発光素子（発光ダイオードなど）のような１以上のUV光発光体を含む。少なくとも１つの実施形態では、UVランプ１４０が、２００nmと２３０nmとの間の波長などの遠UVスペクトル内のUV光を発するように構成される。少なくとも１つの実施形態では、UVランプ１４０が、２２２nmの波長を有するUV光を発するように構成される。例えば、UVランプ１４０は、２２２nmの波長を有するUV光を発するように構成された３００Wのバルブであってよく又はそれを含んでよい。
【００４４】
図示されているように、反射体１４２は、上側湾曲壁１４６を介して共に接続された平坦な直立側壁１４４を含む。上側湾曲壁１４６は、UVランプ１４０から外向きに離れるように湾曲し得る。例えば、上側湾曲壁１４６は、放物線の断面及び／又は輪郭を有し得る。
【００４５】
直線的で線形な側壁１４４は、UVランプ１４０から所望の位置に向けて且つ所望の位置の上に発されたUV光の所望の反射及び／又は集中を提供することが分かっている。代替的に、側壁１４４は、直線的且つ平坦でなくてもよい。
【００４６】
図１０は、本開示の一実施形態による、衛生化先端部のUVランプ１４０及び反射体１４２の斜視端面図を示している。図１０で示されている反射体１４２は、側壁１４４が上側湾曲壁１４６から外向きに傾斜が付けられ得る点を除いて、図９で示されている反射体１４２と同様である。
【００４７】
図１１は、本開示の一実施形態による、衛生化先端部のUVランプ１４０及び反射体１４２の斜視端面図を示している。この実施形態では、側壁１４４が、上側湾曲壁１４６の曲率に従って湾曲していてよい。
【００４８】
図１２は、衛生化先端部１０６の斜視上面図を示している。図１３は、衛生化先端部１０６の斜視下面図を示している。図１４は、図１２の線１４‐１４に沿った衛生化先端部１０６の軸方向断面図を示している。図１２〜図１４を参照すると、空気１５０が、シュラウド１１２の１以上の開口部１５２（又は単に開いたチャンバ）を介して、衛生化先端部１０６の中に引き込まれるように構成されている。空気１５０は、バックパックアセンブリ１０４（図１で示されている）内の真空生成器を介するなどして、衛生化先端部１０６の中に引き込まれる。空気１５０は、シュラウド１１２の中に引き込まれ、UVランプ１４０にわたり且つその周りを通過するときに、UVランプ１４０を冷却する。空気１５０は、ポート１２０の中に及びホース１２２（ホース１２２内の空気管など）の中に入る。空気１５０は、UVランプ１４０を冷却するのみならず、オゾンを除去する。オゾンは、シュラウド１１２内のUVランプ１４０の動作によって生成され得る。空気１５０は、バックパックアセンブリ１０４内のエアフィルタ（起動された炭素フィルタなど）に引き込まれ得る。
【００４９】
少なくとも１つの実施形態では、携帯可能な衛生化システム１００がまた、代替的なオゾン緩和システムも含み得る。一実施例として、オゾン緩和システムは、シュラウド１１２内又はシステムの別の一部分内に配置されてよく、米国特許第10,232,954号などにおける、不活性ガス浴又はフェイス不活性ガスシステム（face inert gas system）を含んでよい。
【００５０】
図１３を参照すると、特に、バンパー１５３が、シュラウド１１２の露出された下側周縁部１５５に固定され得る。バンパー１５３は、ゴム、別のエラストマー材料、オープン又はクローズセルフォームなどの、弾性材料から形成されてよい。バンパー１５３は、衛生化先端部１０６が不注意で表面に接触する場合に、衛生化先端部１０６を損傷から保護する。バンパー１５３はまた、表面も損傷から保護する。
【００５１】
開口部１５２は、それらがUVランプ１４０の直接の視認を提供しないように、シュラウド１１２の下側表面の周りで間隔を空けられ得る。例えば、開口部１５２は、UVランプ１４０から間隔を空けられた部分の下方に配置され得る。
【００５２】
図１４を参照すると、特に、衛生化先端部１０６が、UVランプ１４０の下方にカバープレート１５４を含み得る。例えば、カバープレート１５４は、ガラスから形成されてよく、UVランプ１４０によって発されたUV光をフィルタするように構成されてよい。UVランプ１４０は、反射体１４２とカバープレート１５４との間で画定された内部チャンバ１５６内に固定されてよい。少なくとも１つの実施形態では、カバープレート１５４が、遠UV帯域通過フィルタであり、又はさもなければそれを含む。例えば、カバープレート１５４は、UVランプ１４０によって発されたUV光を２２２nmの波長にフィルタする、２２２nm帯域通過フィルタであってよい。したがって、衛生化先端部１０６から発されるUV光は、２２２nmの波長で発されてよい。
【００５３】
図１３及び図１４を参照すると、縁１５７（０．０２０インチの厚さなどのチタンの縁）が、カバープレート１５４をシュラウド１１２に接続し得る。縁１５７は、縁１５７を通る及び／又は縁１５７の周りの衝撃荷重を分散させ得る。
【００５４】
少なくとも１つの実施形態では、測距発光ダイオード（LED）１５９が、UVランプ１４０の端部の近傍に配置され得る。測距LED１５９を使用して、例えば、衛生化される構造物までの所望の距離を特定することができる。少なくとも１つの実施形態では、測距LED１５９が、縁１５７及び／又はカバープレート１５４上又はそれらの範囲内に配置されてよい。
【００５５】
図１５は、本開示の一実施形態による、取り付けブラケット又はクランプ１６０に固定されたUVランプ１４０の斜視端面図を示している。UVランプ１４０の各端部は、取り付けブラケット又はクランプ１６０に結合され得る。それらは、UVランプ１４０をシュラウド１１２（図１２〜図１４で示されている）に固定する。シリコンの薄い（例えば、０．０４０インチ）シートなどのバッファが、UVランプ１４０とブラケット１６０との間に配置されてよい。任意選択的に、UVランプ１４０は、図示されているものとは異なるサイズ及び形状のブラケット又はクランプを介してシュラウド１１２に固定されてよい。別の一実施例として、UVランプ１４０は、接着剤やファスナなどを介してシュラウド１１２に固定されてよい。
【００５６】
図１６は、本開示の一実施形態による、バックパックアセンブリ１０４の分解斜視図を示している。バックパックアセンブリ１０４は、後方シェル１７２、ベース１７４、及び上部キャップ１７６に結合された前方壁１７０を含む。内部チャンバ１７８が、前方壁１７０、後方シェル１７２、ベース１７４、及び上部キャップ１７６の間で画定される。再充電可能リチウムバッテリなどの１以上のバッテリ１８０が、内部チャンバ１７８内に内蔵される。空気生成サブシステム１８２もまた、内部チャンバ１７８内に内蔵される。空気生成サブシステム１８２は、ホース１２２（例えば、図２で示されている）内の空気チューブと流体連通する。空気生成サブシステム１８２は、真空生成器や空気ブロワなどのような気流デバイスを含んでよい。気流デバイスは、UVランプを冷却し、衛生化先端部１０６からバックパックアセンブリ１０４の中へ及びバックパックアセンブリ１０４から排気部を通って出るように引かれ、生成されたオゾンをシュラウド１１２から離れるように引っ張る又はさもなければ除去するように、並びに／又はそれ以外のために、気流を生成するように構成される。
【００５７】
炭素フィルタなどの１以上のエアフィルタ１８３が、バックパックアセンブリ１０４内に存在する。エアフィルタ１８３は、空気をホース１２２を通してバックパックアセンブリ１０４の中に経路指定する空気チューブ又は他のそのような供給ダクト若しくはラインと連通する。エアフィルタ１８３は、シュラウド１１２からバックパックアセンブリ１０４の中に引かれた空気をフィルタするように構成される。例えば、エアフィルタ１８３は、オゾンを除去し、非活性化し、又はさもなければ無力化するように構成され得る。
【００５８】
バックパックアセンブリ１０４内のバッテリ１８０及び／若しくは電源又はコントローラは、衛生化先端部１０６（例えば、図２で示されている）のUVランプ１４０向けの動作電力を供給する。上部キャップ１７６は、前方壁１７０及び後方シェル１７２と着脱可能に結合され得る。上部キャップ１７６は、例えば、（バッテリを取り外す及び／又は再充電するためなどに）バッテリ１８０へのアクセスを提供するために取り外されてよい。消耗品、更なるバッテリ、更なる部品などの貯蔵のために、バックパックアセンブリ１０４内に更なるスペースが提供され得る。少なくとも１つの実施形態では、前方壁１７０、後方シェル１７２、ベース１７４、及び上部キャップ１７６は、ガラス繊維エポキシから形成され得る。
【００５９】
図１７は、本開示の一実施形態による、バックパックアセンブリ１０４に結合されたハーネス１０５の斜視前面図を示している。ハーネス１０５は、ショルダーストラップ１９０及び／又はウエスト若しくはヒップベルト若しくはストラップ１９２を含み得る。それらは、個人が快適にバックパックアセンブリ１０４を着用することを可能にする。
【００６０】
図１〜図１７を参照すると、動作では、個人がバックパックアセンブリ１０４を着用してエリアを通って歩くことがある。衛生化されるべき構造物が見つかったときに、個人は、ハンドル１０８に対して衛生化先端部１０６を延伸させ且つ／又は回転させることなどによって、ハンドル１０８を位置で握り、衛生化先端部１０６を望むように配置することができる。次いで、個人は、例えば、UVランプ１４０を起動して、衛生化UV光を構造物上に発するために、ハンドル１０８上の起動ボタンを操作することができる。UVランプ１４０が起動されると、空気１５０が、シュラウド１１２の中に引かれて、UVランプ１４０を冷却し、任意の生成されたオゾンをバックパックアセンブリ１０４の中に迂回させる。そこで、オゾンはエアフィルタ１８３によってフィルタされる。
【００６１】
延伸可能な棒アセンブリ１０２は、衛生化先端部１０６が、民間航空機の内部キャビン内の通路の列から、３つの乗客の座席の組の全体にわたるなど、遠いエリアに到達することを可能にする。
【００６２】
図１８は、紫外線光スペクトルを示している。図１〜図１８を参照すると、少なくとも１つの実施形態では、衛生化先端部１０６が、２００nmから２３０nmの間などの遠UVスペクトル内の衛生化UV光を発する（UVランプ１４０の動作を介して）ように構成される。少なくとも１つの実施形態では、衛生化先端部１０６が、２２２nmの波長を有する衛生化UV光を発する。
【００６３】
２２２nmの波長を有する衛生化UV光は、病原体（ウイルス及びバクテリアなど）を不活性化する代わりに、病原体を殺すことが分かっている。対照的に、２５４nmの波長のUVC光は、DNAと相互作用することによって病原体を不活性化し、一時的な不活性をもたらすが、その病原体を殺さないかもしれない。代わりに、病原体は、通常の白色光に曝露されることによって、１時間当たり約１０％の再活性率で再活性化され得る。したがって、２５４nmの波長のUVC光は、輸送体の内部キャビン内などの照明されているエリア内で無効であり得る。更に、２５４nmのUVC光は、人間への曝露が推奨されない。というのも、それは、人間の細胞を貫通することができるからである。
【００６４】
対照的に、２２２nmの波長を有する衛生化UV光は、人間への曝露が安全であり、病原体を殺す。更に、２２２nmの波長を有する衛生化UV光は、起動されてから１ミリ秒以下の範囲内でUVランプ１４０の全出力で発され得る（対照的に、２５４nmの波長を有するUVCは、全出力に到達するまでに数秒又は数分必要とし得る）。
【００６５】
図１９は、本開示の一実施形態による、航空機２１０の斜視正面図を示している。航空機２１０は、例えば、エンジン２１４を含む推進システム２１２を含む。任意選択的に、推進システム２１２は、図示されているよりも多くのエンジン１４を含んでよい。エンジン２１４は、航空機２１０の主翼２１６によって坦持される。他の実施形態では、エンジン２１４が、胴体２１８及び／又は尾部２２０によって担持されてもよい。尾部２２０はまた、水平安定板２２２及び垂直安定板２２４も支持し得る。
【００６６】
航空機２１０の胴体２１８が、内部キャビン２３０を画定し、内部キャビン２３０は、操縦室（フライトデッキ又はコックピット）、１以上の作業区域（例えば、調理室、乗務員の手荷物エリアなど）、１以上の乗客区域（例えば、ファーストクラス、ビジネスクラス、及びエコノミークラス）、１以上の化粧室などを含む。内部キャビン２３０は、本明細書で説明されるように、１以上の化粧室システム、化粧室ユニット、又は化粧室を含む。
【００６７】
代替的に、本開示の実施形態は、航空機の代わりに、自動車、バス、機関車及び列車、船舶などといった、様々な他の輸送体と共に使用され得る。更に、本開示の実施形態は、例えば商業用及び住居用の建物などの固定構造物に対して使用され得る。
【００６８】
図２０Ａは、本開示の一実施形態による、航空機の内部キャビン２３０の上面図を示している。内部キャビン２３０は、図１９の胴体２１８などの航空機の胴体２３２内にあり得る。例えば、１以上の胴体壁により、内部キャビン２３０が画定され得る。内部キャビン２３０には、前部区域２３３、ファーストクラス区域２３４、ビジネスクラス区域２３６、前部ギャレーステーション２３８、拡張されたエコノミー（economy又はcoach）クラス区域２４０、標準のエコノミークラス区域２４２、複数の化粧室と調理ステーションとを含み得る後方区域２４４を含む、複数の区域が含まれる。内部キャビン２３０は、図示されているよりも多い又は少ない区域を含み得ると理解すべきである。例えば、内部キャビン２３０には、ファーストクラス区域が含まれなくてもよく、図示されているよりも多い又は少ない調理ステーションが含まれてよい。区域のそれぞれは、通路２４８の間にクラス仕切りアセンブリを含み得るキャビン遷移エリア２４６によって分離され得る。
【００６９】
図２０Ａで示されているように、内部キャビン２３０は、後方区域２４４につながる２つの通路２５０及び２５２を含む。任意選択的に、内部キャビン２３０は、図示されているよりも少ない又は多い通路を有し得る。例えば、内部キャビン２３０には、後方区域２４４につながる内部キャビン２３０の中央を通って延在する単一の通路が含まれ得る。
【００７０】
通路２４８、２５０、及び２５２は、出口経路又はドア通路２６０に延びる。出口ドア２６２が、出口経路２６０の端部に位置付けられる。出口経路２６０は、通路２４８、２５０、及び２５２に対して垂直であってよい。内部キャビン２３０は、図示されているよりも多くの出口経路２６０を種々の箇所に含んでよい。図１から図１８に関して示され説明された携帯可能な衛生化システム１００を使用して、乗客の座席、モニュメント、荷物箱アセンブリ、化粧室上及び内の構成要素、調理室の設備及び構成要素などの、内部キャビン２３０内の様々な構造物を衛生的にすることができる。
【００７１】
図２０Ｂは、本開示の一実施形態による、航空機の内部キャビン２８０の上面図を示している。内部キャビン２８０は、図１９で示されている内部キャビン２３０の一例である。内部キャビン２８０は、航空機の胴体２８１内にあってよい。例えば、１以上の胴体壁により、内部キャビン２８０が画定され得る。内部キャビン２８０は、乗客の座席２８３を有する主たるキャビン２８２と、主たるキャビン２８２の後ろの後方区域２８５とを含む、複数の区域を含む。内部キャビン２８０は、図示されているよりも多い又は少ない区域を含み得ると理解すべきである。
【００７２】
内部キャビン２８０には、後方区域２８５につながる単一の通路２８４が含まれ得る。単一の通路２８４は、後方区域２８５につながる内部キャビン２８０の中央を通って延在し得る。例えば、単一の通路２８４は、内部キャビン２８０の中央縦断面と同軸上に整列し得る。
【００７３】
通路２８４は、出口経路又はドア通路２９０に延びる。出口ドア２９２が、出口経路２９０の端部に位置付けられる。出口経路２９０は、通路２８４に対して垂直であってよい。内部キャビン２８０は、図示されているよりも多くの出口経路を含んでよい。図１から図１８に関して示され説明された携帯可能な衛生化システム１００を使用して、乗客の座席、モニュメント、収納箱アセンブリ、化粧室上及び内の構成要素、調理室の設備及び構成要素などの、内部キャビン２３０内の様々な構造物を衛生的にすることができる。
【００７４】
図２１は、本開示の一実施形態による、航空機の内部キャビン３００の斜視内装図を示している。内部キャビン３００は、天井３０４に連結された外側壁３０２を含む。窓３０６が、外側壁３０２内に形成され得る。床３０８は、座席３１０の列を支持する。図２１で示されているように、列３１２は、通路３１３の何れの側にも２つの座席３１０を含み得る。しかし、列３１２は、図示されているよりも多い又は少ない座席３１０を含んでよい。更に、内部キャビン３００は、図示されているよりも多くの通路を含んでよい。
【００７５】
乗客サービスユニット（PSU）３１４が、通路３１３の何れの側でも外側壁３０２と天井３０４との間に固定される。PSU３１４は、内部キャビン３００の前方端と後方端との間で延在する。例えば、PSU３１４は、列３１２内の各座席３１０の上に配置されてよい。各PSU３１４は、概して、列３１２内の各座席３１０（又は座席の群）の上に、通気口、読書用ライト、酸素バッグ落下パネル、乗務員リクエストボタン、及び他のそのような制御を含む、ハウジング３１６を含み得る。
【００７６】
頭上荷物箱アセンブリ３１８は、通路３１３の何れの側でも、PSU３１４の上方且つ内側の天井３０４及び／又は外側壁３０２に固定される。頭上荷物箱アセンブリ３１８は、座席３１０の上に固定される。頭上荷物箱アセンブリ３１８は、内部キャビン３００の前方端と後方端との間で延在する。各荷物箱アセンブリ３１８は、（図２１では視野から隠れている）ストロングバックに旋回可能に固定された旋回箱又はバケット３２０を含み得る。頭上荷物箱アセンブリ３１８は、PSU３１４の下面の上方且つ内側（inboard）に配置されてよい。頭上荷物箱アセンブリ３１８は、例えば乗客の機内持込手荷物や携行品を収容するため、旋回して開くように構成されている。
【００７７】
本明細書で使用される際に、「外側（outboard）」という用語は、別の構成要素と比較して、内部キャビン３００の中央縦断面３２２から更に離れる位置を意味する。「内側（inboard）」という用語は、別の構成要素と比較して、内部キャビン３００の中央縦断面３２２により近い位置を意味する。例えば、PSU３１４の下面は、荷物箱アセンブリ３１８に対して外側にあってよい。
【００７８】
図１〜図１８に関連して示され説明された携帯可能な衛生化システム１００を使用して、内部キャビン３００内で示されている様々な構造物を衛生的にすることができる。
【００７９】
使用されていないときに、携帯可能な衛生化システム１００は、輸送体の内部キャビン内などの、クローゼット、調理カートベイ、又は調理カート内に保存されてよい。
【００８０】
図２２は、本明細書で説明される内部キャビンの何れかなどの、輸送体の内部キャビン内の化粧室３３０の斜視内部図を示している。化粧室３３０は、輸送体の内部キャビン内などの、閉じたスペース、モニュメント、又はチャンバの一例である。化粧室３３０は、上述されたように、航空機に搭載され得る。任意選択的に、化粧室３３０は様々な他の輸送体に搭載されてよい。他の実施形態では、化粧室３３０が、商業用又は住居用の建物などの固定された構造物内にあってよい。化粧室３３０は、トイレ３３２、キャビネット３３４、及びシンク３３６又は洗面台を支持するベース床３３１を含む。化粧室３３０は、図示されているのとは異なるように構成されてよい。化粧室３３０は、図示されているよりも多い又は少ない構成要素を含んでよい。図１〜図１８に関連して示され説明された携帯可能な衛生化システム１００を使用して、化粧室３３０内の様々な構造物、構成要素、及び表面を衛生的にすることができる。
【００８１】
図２３は、本開示の一実施形態による、携帯可能な衛生化方法のフローチャートを示す。該方法は、紫外線（UV）ランプを含む衛生化先端部から、２００nm〜２３０nmの間の波長を有するUV光を表面上に発すること（４００）、及び前記発すること（４００）によって表面を殺菌すること（４０２）を含む。少なくとも１つの実施形態では、前記発すること（４００）が、２２２nmの波長を有するUV光を発することを含む。
【００８２】
少なくとも１つの実施形態では、携帯可能な衛生化方法が、ハンドルを衛生化先端部に移動可能に結合させることを更に含む。例えば、前記移動可能に結合させることは、ハンドルに対して衛生化先端部を直線的に平行移動させること又は旋回させることのうちの一方又は両方を含む。
【００８３】
少なくとも１つの実施形態では、携帯可能な衛生化方法が、ホースを介してバックパックアセンブリを衛生化先端部に結合させることを含む。
【００８４】
図１〜図２３を参照すると、携帯可能な衛生化システム１００を使用して、フライトデッキ及び内部キャビン内の高頻度接触面を、タイムリー且つ費用効果に優れたやり方で、安全且つ効果的に衛生化することができる。UV殺菌により、内部キャビンは、フライトとフライトとの間などに、迅速且つ効果的に殺菌され得る。少なくとも１つの実施形態では、携帯可能な衛生化システム１００が、手動での洗浄の後などに、洗浄工程を強化するために使用される。
【００８５】
本明細書で説明されるように、本開示の実施形態は、輸送体の内部キャビン内の表面、構成要素、構造物などを効果的に殺菌するためのシステム及び方法を提供する。更に、本開示の実施形態は、UV光を使用して内部キャビン内の表面を殺菌するためのコンパクトで使い易く、安全なシステム及び方法を提供する。
【００８６】
図２４は、本開示の一実施形態による、棒アセンブリ１０２のUVランプ１４０に電力を供給するためのシステム５００の概略ブロック図を示している。少なくとも１つの実施形態では、UVランプ１４０が、棒アセンブリ１０２の衛生化先端部１０６内にある。棒アセンブリ１０２は、ハンドルを含んでよく又は含まなくてもよい。ハンドルは、衛生化先端部１０６に対して移動可能であってよく又は移動可能でなくてもよい。
【００８７】
少なくとも１つの実施形態では、UVランプ１４０が、２２２nmの波長を有するUV光を発するように構成されたエキシマーランプである。任意選択的に、UVランプ１４０は、異なる波長を有するUV光を発するように構成され得る。例えば、UVランプ１４０は、２２０nmと２３０nmとの間の波長を有するUV光を発するように構成され得る。少なくとも１つの他の実施形態では、UVランプ１４０が、UV-Cスペクトル内のUV光を発するように構成され得る。
【００８８】
システム５００は、UVランプ１４０に電力を供給するように構成された電力供給デバイス５０２を含む。電力供給デバイス５０２は、ハウジング５０４を含む。電力供給デバイス５０２は、図１６及び図１７で示されているバックパックアセンブリ１０４内に内蔵されてよい。一実施例として、電力供給デバイス５０２は、バッテリ１８０を含んでよく又はバッテリ１８０の代わりをしてよい。少なくとも１つの他の実施形態では、電力供給デバイス５０２が、バックパックアセンブリ１０４から分離され、区別される。例えば、電力供給デバイス５０２は、選択的に棒アセンブリ１０２に結合され及び棒アセンブリ１０２から結合解除されるように構成された携帯可能なデバイスである。少なくとも１つの実施形態では、電力供給デバイス５０２が、把持（handheld）デバイスであってよい。
【００８９】
電力供給デバイス５０２のハウジング５０４は、１以上のバッテリ５０６及び電力コントローラ５０８を含む。電力コントローラ５０８は、１以上のポテンショメータ５１０を含むか又はさもなければ１以上のポテンショメータ５１０に結合される。電力コントローラ５０８は、１以上の有線又は無線接続を介するなどして、バッテリ５０６に結合される。１以上のバッテリ５０６は、UVランプ１４０に電力を供給するように構成される。電力コントローラ５０８は、バッテリ５０６からUVランプ１４０に供給される電力の１以上の特性を制御するように構成される。
【００９０】
電力供給デバイス５０２はまた、ハウジング５０４上又はハウジング５０４内に複数のスイッチも含み得る。例えば、電力供給デバイス５０２は、電力スイッチ５１２、電力ブーストスイッチ５１４、及び／又はランプ電力スイッチ５１６を含む。任意選択的に、電力スイッチ５１２、電力ブーストスイッチ５１４、及びランプ電力スイッチ５１６は、棒アセンブリ１０２上又は棒アセンブリ１０２内にあり得る。
【００９１】
連結器５１８が、バッテリ５０６から延在し、UVランプ１４０に接続するように構成される。例えば、連結器５１８は、UVランプ１４０の電力入力部５２２に接続される出力端を有する絶縁されたワイヤ５２０である。少なくとも１つの実施形態では、出力端５２０が、電力入力部５２２に着脱可能に接続するように構成されたプラグであってよい。任意選択的に、連結部５１８は、UVランプ１４０と電力供給デバイス５０２との間の固定された接続（すなわち、着脱可能に接続されない）であってよい。例えば、電力供給デバイス５０２は、棒アセンブリ１０２に固定されてよく、又はさもなければ棒アセンブリ１０２の部分を形成してよい。少なくとも１つの実施形態では、電力供給デバイス５０２が、棒アセンブリ１０２の制御盤の部分であってよい。
【００９２】
電力供給デバイス５０２は、２２０nm〜２３０nmの間の波長を有するUV光を発するように構成されたエキシマーランプなどのUVランプ１４０に電力を供給するように構成される。例えば、バッテリ５０６と電力コントローラ５０８とは協働して、UVランプ１４０に電力を供給する。
【００９３】
ポテンショメータ５１０は、UVランプ１４０に供給される電力に関する周波数、パルス幅変調、及び／又は電流を調整し又はさもなければ制御するように構成される。電力スイッチ５１２は、例えば、押しボタンであってよい。電力スイッチ５１２は、UVランプ１４０に電力を供給するよう電力供給デバイス５０２を起動させるために、ユーザによって操作されてよい。ユーザは、UVランプ１４０に電力を選択的に供給するために、電力スイッチ５１２を選択的に操作することができる。
【００９４】
少なくとも１つの実施形態では、携帯可能な電力供給デバイス５０２が、オン／オフスイッチ（電力スイッチなど）、電力ブーストスイッチ５１４、及びUVランプ電力スイッチ５１６を制御するための任意選択的なスイッチを含む。電力ブーストスイッチ５１４は、電力コントローラ５０８及び／又はバッテリ５０６を介して、UVランプに高められた又はブーストされた電力を供給するために、ユーザによって操作されてよい。UVランプ電力スイッチ５１６は、連結器５１８を介して電力供給デバイス５０２に結合されたUVランプ１４０の電力を調整するために、ユーザによって操作されてよい。少なくとも１つの実施形態では、電力コントローラ５０８の１以上のポテンショメータ５１０が、電力供給デバイス５０２の公称出力／効率を制御し、パルス幅周波数及びランプ効率を調整し、過電流を調整するように構成される。少なくとも１つの実施形態では、電力コントローラ５０８が、ポテンショメータ５１０を調整することによって、最小の又は低減された電力量で最大の又はさもなければ高められたUVランプ１４０からのUV光出力を提供するように構成可能である。
【００９５】
少なくとも１つの実施形態では、電力供給デバイス５０２が、調整可能な電圧、周波数、パルス幅、及びトランジェント性能（transient capability）で、UVランプ１４０に高電圧電力を供給する。電力供給デバイス５０２は、UVランプ１４０の動作温度、UV出力レベル、電力消費量、及び熱放散を変更することができる。
【００９６】
本明細書で説明されるように、電力デバイス５０２は、携帯可能な衛生化システム１００（例えば、図１で示されている）などの衛生化システムのUVランプ１４０に電力を供給するように構成される。電力供給デバイス５０２は、UVランプに電力を供給するように構成された１以上のバッテリ５０６、及び１以上のバッテリ５０６に結合された電力コントローラ５０８を含む。電力コントローラ５０８は、１以上のバッテリ５０６からUVランプ１４０に供給される電力の１以上の特性を制御するように構成される。
【００９７】
少なくとも１つの実施形態では、電力供給デバイス５０２が、電力コントローラ５０８に結合された１以上のポテンショメータ５１０を更に含む。１以上のポテンショメータ５１０は、UVランプ１４０に供給される電力に関する周波数、パルス幅変調、及び／又は電流などの特性を調整し又はさもなければ制御するように構成される。
【００９８】
少なくとも１つの実施形態では、電力供給デバイス５０２が、１以上のスイッチ５１２、５１４、及び／又は５１６を更に含む。一実施例では、１以上のスイッチが、電力供給デバイス５０２のハウジング５０４上又はハウジング５０４内にある。別の一実施例では、１以上のスイッチが、棒アセンブリ１０２上又は棒アセンブリ１０２内にある。一実施例として、スイッチは、電力スイッチ５１２、電力ブーストスイッチ５１４、及びランプ電力スイッチ５１６を含む。
【００９９】
少なくとも１つの実施形態では、連結器５１８が、バッテリ５０６をUVランプ１４０に接続する。連結器５１８は、絶縁されたワイヤを含み得る。連結器５１８は、UVランプ１４０に着脱可能に接続する（例えば、選択的に接続され及び接続解除される）ように構成され得る。
【０１００】
図２５は、本開示の一実施形態による、棒アセンブリ１０２のUVランプ１４０に電力を供給するためのシステム５００の概略図を示している。図示されているように、棒アセンブリ１０２は、電力スイッチ５１２、電力ブーストスイッチ５１４、及びランプ電力スイッチ５１６を含み得る。システム５００は、図示されているよりも多いか又は少ないスイッチを含んでよい。
【０１０１】
複数のバッテリ５０６が、バッテリパック５０７内に存在し得る。少なくとも１つの実施形態では、変圧器５３０が、バッテリ５０６とUVランプ１４０との間に配置される。例えば、変圧器５３０は、連結器５１８の部分であってよく、又は連結器５１８とバッテリ５０６又はUVランプ１４０との間に配置されてよい。
【０１０２】
電力コントローラ５０８が、複数のポテンショメータ５１０ａ、５１０ｂ、及び５１０ｃに結合される。電力コントローラ５０８は、ユーザがポテンショメータ５１０を介して様々な電力設定を調整することを可能にするように構成された、スイッチ、キー、タッチスクリーンインターフェースなどの、ユーザインターフェースを含んでよく又はさもなければ提供し得る。ポテンショメータ５１０は、UVランプ１４０に供給される電力に関する様々な電力パラメータ又は特性を制御するように構成される。例えば、ポテンショメータ５１０ａは、UVランプ１４０に供給される電力の公称出力／効率を調整し又はさもなければ制御するように構成される。ポテンショメータ５１０ｂは、UVランプ１４０に供給される電力のパルス幅変調の周波数を調整するように構成される。ポテンショメータ５１０ｃは、UVランプ１４０に供給される電力の過電流のトリップ点を調整するように構成される。
【０１０３】
図示されているように、ポテンショメータ５１０ａ、５１０ｂ、及び５１０ｃは、電力コントローラ５０８の外側に存在し得る。任意選択的に、電力コントローラ５０８は、ポテンショメータ５１０ａ、５１０ｂ、及び５１０ｃの範囲内にあってよい。システム５００は、図示されているよりも多いか又は少ないポテンショメータを含んでよい。例えば、システム５００は、ポテンショメータ５１０ａ、５１０ｂ、又は５１０ｃのうちの１つだけか又は２つだけを含んでよい。任意選択的に、システム５００は、UVランプ１４０に供給される電力の種々の特性を調整し又はさもなければ制御するように構成された更なるポテンショメータを含んでよい。
【０１０４】
少なくとも１つの実施形態では、電流制限が、ポテンショメータを介して調整され得る。パルス波変調が、ポテンショメータを介して調整され得る。周波数が、ポテンショメータを介して調整され得る。バッテリ入力は、１２０Vの直流電流によるものであってよい。バッテリ入力は、１以上の電界効果トランジスタ（FET）に供給されてよい。
【０１０５】
電力スイッチ５１２は、UVランプ１４０を起動させ及び起動解除するように構成される。すなわち、電力スイッチ５１２は、UVランプ１４０をオンとオフとにするように構成される。
【０１０６】
電力ブーストスイッチ５１４が操作されたときに、一時的な（例えば、１０秒以下の）電力ブーストがUVランプ１４０に供給される。任意選択的に、システム５００は、電力ブーストスイッチ５１４を含まなくてもよい。
【０１０７】
ランプ電力スイッチ５１６は、ランプ電力を制御するように構成される。例えば、ランプ電力スイッチ５１６は、ランプ電力を選択的に増加又は低減させるように操作され得る。任意選択的に、システム５００は、ランプ電力スイッチ５１６を含まなくてもよい。
【０１０８】
図２６は、本開示の一実施形態による、衛生化システムの紫外線ランプに電力を供給する方法のフローチャートを示している。該方法は、電力供給デバイスの１以上のバッテリによって、UVランプに電力を供給すること（６００）、及び、１以上のバッテリに結合された電力コントローラから、１以上のバッテリからUVランプに供給される電力の１以上の特性を制御すること（６０２）を含む。
【０１０９】
少なくとも１つの実施形態では、該方法がまた、１以上のポテンショメータを電力コントローラに結合させることも含む。更なる一実施例として、該方法は、１以上のポテンショメータによって、UVランプに供給される電力に関する周波数、パルス幅変調、及び電流を調整し又はさもなければ制御することを含む。
【０１１０】
少なくとも１つの実施形態では、該方法が、連結器によって、１以上のバッテリをUVランプに接続することも含む。
【０１１１】
少なくとも１つの実施形態では、該方法がまた、１以上のバッテリとUVランプとの間に変圧器を配置することも含む。
【０１１２】
更に本発明は、以下の条項による実施形態を含む。
条項１．
衛生化システムの紫外線（UV）ランプに電力を供給するように構成された電力供給デバイスであって、
前記UVランプに電力を供給するように構成された１以上のバッテリ、及び
前記１以上のバッテリに結合された電力コントローラであって、前記１以上のバッテリから前記UVランプに供給される前記電力の１以上の特性を制御するように構成された電力コントローラを備える、電力供給デバイス。
条項２．
前記UVランプは、棒アセンブリの衛生化先端部内にある、条項１に記載の電力供給デバイス。
条項３．
前記電力供給デバイスは、前記棒アセンブリに結合されたバックパックアセンブリ内にある、条項１又は２に記載の電力供給デバイス。
条項４．
前記UVランプは、２２２nmの波長を有するUV光を発するように構成されたエキシマーランプである、条項１から３のいずれか一項に記載の電力供給デバイス。
条項５．
前記電力コントローラに結合された１以上のポテンショメータを更に備える、条項１から４のいずれか一項に記載の電力供給デバイス。
条項６．
前記１以上のポテンショメータは、前記UVランプに供給される前記電力に関する周波数、パルス幅変調、及び電流を調整し又はさもなければ制御するように構成される、条項５に記載の電力供給デバイス。
条項７．
１以上のスイッチを更に備える、条項１から６のいずれか一項に記載の電力供給デバイス。
条項８．
前記１以上のスイッチは、前記電力供給デバイスのハウジング上又はハウジング内にある、条項７に記載の電力供給デバイス。
条項９．
前記１以上のスイッチは、前記棒アセンブリ上又は棒アセンブリ内にある、条項７又は８に記載の電力供給デバイス。
条項１０．
前記以上のスイッチは、
電力スイッチ、
電力ブーストスイッチ、及び
ランプ電力スイッチを備える、条項７から９のいずれか一項に記載の電力供給デバイス。
条項１１．
前記１以上のバッテリを前記UVランプに接続する連結器を更に備える、条項１から１０のいずれか一項に記載の電力供給デバイス。
条項１２．
前記連結器は、絶縁されたワイヤを備える、条項１１に記載の電力供給デバイス。
条項１３．
前記連結器は、前記UVランプに着脱可能に接続される、条項１１又は１２に記載の電力供給デバイス。
条項１４．
前記１以上のバッテリと前記UVランプとの間に配置された変圧器を更に備える、条項１から１３のいずれか一項に記載の電力供給デバイス。
条項１５．
衛生化システムの紫外線（UV）ランプに電力を供給する方法であって、
電力供給デバイスの１以上のバッテリによって、前記UVランプに電力を供給すること、及び
前記１以上のバッテリに結合された電力コントローラから、前記１以上のバッテリから前記UVランプに供給される前記電力の１以上の特性を制御することを含む、方法。
条項１６．
１以上のポテンショメータを前記電力コントローラに結合することを更に含む、条項１５に記載の方法。
条項１７．
前記１以上のポテンショメータによって、前記UVランプに供給される前記電力に関する周波数、パルス幅変調、及び電流を調整し又はさもなければ制御することを更に含む、条項１５又は１６に記載の方法。
条項１８．
連結器によって、前記１以上のバッテリを前記UVランプに接続することを更に含む、条項１５から１７のいずれか一項に記載の方法。
条項１９．
前記１以上のバッテリと前記UVランプとの間に変圧器を配置することを更に含む、条項１５から１８のいずれか一項に記載の方法。
条項２０．
衛生化システムの紫外線（UV）ランプに電力を供給するように構成された電力供給デバイスであって、
前記UVランプに電力を供給するように構成された１以上のバッテリ、
前記１以上のバッテリに結合された電力コントローラであって、前記１以上のバッテリから前記UVランプに供給される前記電力の１以上の特性を制御するように構成された電力コントローラ、
前記電力コントローラに結合された１以上のポテンショメータであって、前記UVランプに供給される前記電力に関する周波数、パルス幅変調、及び電流を調整し又はさもなければ制御するように構成された１以上のポテンショメータ、
電力スイッチ、
電力ブーストスイッチ、
ランプ電力スイッチ、
前記１以上のバッテリを前記UVランプに接続する連結器、並びに
前記１以上のバッテリと前記UVランプとの間に配置された変圧器を備える、電力供給デバイス。
【０１１３】
本明細書で説明されるように、本開示の実施形態は、携帯可能な衛生化システムの棒アセンブリの２２２nmのエキシマーランプなどのUVランプに電力を供給するためのシステム及び方法を提供する。
【０１１４】
本開示の実施形態の説明のために、上部、底部、下方、中央、横方向、水平、垂直、前向きなどの空間及び方向に関する様々な語が用いられる場合があるが、そのような語は図面で示す方向に対するものとして用いられているにすぎないことを理解されたい。向きを、反転させる、回転させる、又はそうでなければ、上部が下部に、また下部が上部になるように、また水平が垂直になる等のように変化させることができる。
【０１１５】
本明細書で使用する、タスク又は動作を実施する「ように構成される」構造物、限定事項、又は要素は、特にタスク又は動作に対応するように、構造物的に形成、構成、又は適合されている。明確さのため、及び誤解を避けるために、タスク又は動作を実施するために変更可能であるに過ぎない対象物は、本明細書で使用するタスク又は動作を実施する「ように構成」されてはいない。
【０１１６】
上記の説明は、限定ではなく、例示を意図するものであることを理解するべきである。例えば、上述した実施形態（及び／又はそれらの態様）は、互いに組み合わせて使用され得る。加えて、様々な実施形態の教示には、その範囲から偏差することなく、特定の状況又は材料に適応させるために多数の改変が加えられ得る。本明細書に記載の材料の形状寸法及びタイプは、本開示の様々な実施形態のパラメータを規定することを意図しているが、これらの実施形態は限定的なものではなく例示的な実施形態である。本発明を精査することにより、当業者には他の多くの実施形態が明らかであろう。本開示の様々な実施形態の範囲は、添付の特許請求の範囲、並びに、かかる特許請求の範囲が認められる均等物の全範囲を参照して決定されるべきである。添付の特許請求の範囲において、「含む（including）」及び「そこにおいて（in which）」という語は、それぞれ、「備える（comprising）」及び「そこで（wherein）」という語のプレインイングリッシュ（plain-English）の同義語として使用される。また、「第１」「第２」及び「第３」等の語は単に符号として使用され、それらの対象物に数的要件を課すことを意図するものではない。更に、以下の特許請求の範囲の限定は、ミーンズ・プラス・ファンクション形式で記述されておらず、かかる特許請求の範囲の限定が、更なる構造物を欠く機能の記述が後続する、「〜のための手段（means for）」という言い回しを明示的に使用しない限り、米国特許法第１１２条（ｆ）に基づいて解釈されることを意図するものではない。
【０１１７】
ここに記載した説明では、ベストモードを含む本開示の様々な実施形態を開示し、且つ当業者が任意のデバイス又はシステムの作成及び使用、並びに組込まれた任意の方法の実行を含め、本開示の様々な実施形態を実施することを可能にするために実施例を使用している。本開示の様々な実施形態の特許性の範囲は、特許請求の範囲によって規定され、当業者が想起する他の実施例を含み得る。かかる他の実施例は、実施例が特許請求の範囲の文言と相違しない構造物要素を有する場合、又は、実施例が、特許請求の範囲の文言とごくわずかな相違しかない同等の構造物要素を含む場合、特許請求の範囲内であることが意図される。
【図１】
2022001250.tif 000002
【図２】
2022001250.tif 000003
【図３】
2022001250.tif 000004
【図４】
2022001250.tif 000005
【図５】
2022001250.tif 000006
【図６】
2022001250.tif 000007
【図７】
2022001250.tif 000008
【図８】
2022001250.tif 000009
【図９】
2022001250.tif 000010
【図１０】
2022001250.tif 000011
【図１１】
2022001250.tif 000012
【図１２】
2022001250.tif 000013
【図１３】
2022001250.tif 000014
【図１４】
2022001250.tif 000015
【図１５】
2022001250.tif 000016
【図１６】
2022001250.tif 000017
【図１７】
2022001250.tif 000018
【図１８】
2022001250.tif 000019
【図１９】
2022001250.tif 000020
【図２０Ａ】
2022001250.tif 000021
【図２０Ｂ】
2022001250.tif 000022
【図２１】
2022001250.tif 000023
【図２２】
2022001250.tif 000024
【図２３】
2022001250.tif 000025
【図２４】
2022001250.tif 000026
【図２５】
2022001250.tif 000027
【図２６】
2022001250.tif 000028
【外国語明細書】
2022001250000001.pdf
2022001250000002.pdf
2022001250000003.pdf
2022001250000004.pdf